(57)【要約】      （修正有）【課題】内部を剥離可能溶着部により仕切ることにより、多種類の薬剤を個別に収納するようにした複室容器及びそのシール方法を提供する。【解決手段】複室容器は外袋１０及び内袋３２を備え、外袋は第１の隔壁としての弱シール部２８を備え、弱シール部により外袋内部は夫々の液状薬剤を収容する隔室２９、３０に区画される。内袋は外周が弱シール部３８により封止され、内部に薬剤を収容する。弱シール部はその全体又は一部が下側隔室を排出制御室４０から分離する第２の隔壁ともなる。隔室を分離する弱シール部を開通させる外圧より内袋の弱シール部を開通させる外圧が大きく設定され、外袋を収容する液状薬剤に対する外圧により最初に弱シール部、次いで内袋の開封が行われる。【選択図】図１
2018149312.tif 000002
【特許請求の範囲】
【請求項１】
可撓性フィルムより袋状に形成されて成る外側容器と、外側容器の外周部に固着され、薬剤を排出するための排出口と、前記排出口と離間側において外側容器の内部を区画し、外側容器への外力により開通可能な第１の隔壁と、前記排出口と近接側において外側容器の内部を区画し、第１の隔壁を開通させる外力より大きい外側容器への外力により開通可能な第２の隔壁と、第１の隔壁の排出口から離間側において外側容器内部に形成され、第１の液状薬剤を収容する第１の隔室と、第１の隔壁と第２の隔壁間において外側容器内部に形成され、第２の液状薬剤を収容する第２の隔室と、第２の隔室と排出口との間において外側容器内部に配置され、補助薬剤を収容し、外周に沿って開封可能に構成された封止部を有した内側容器と、第２の隔室と近接側に沿って内側容器を外側容器の対向内面に固着し、内側容器の前記封止部の開通のための外力を付与する外力付与部とを備え、前記第２の隔壁は、内側容器の第２の隔室との近接側における封止部と、内側容器の第２の隔室との近接側における封止部を両端において外側容器の対向外周側部に第２の隔室と第２の隔室より排出口側における外側容器内部とを分離するべく連結する連結部とから構成された複室容器。
【請求項２】
請求項１に記載の発明において、前記連結部は内側容器の封止部と一体に溶着された外側容器外周の強シール部である複室容器。
【請求項３】
請求項２に記載の発明において、内側容器の封止部における第２の隔室との近接側は外側容器の全幅近くまで延びている複室容器。
【請求項４】
請求項３に記載の発明において、内側容器の封止部における両側側部は前記連結部の連接部である外側容器外周の強シール部と一体連結されている複室容器。
【請求項５】
請求項１に記載の発明において、前記連結部は、内側容器の封止部における第２の隔室との近接側両端部とこれに対向した外側容器の外周における強シール部とを接続し、内側容器の対向内面間を封止する強シール部である複室容器。
【請求項６】
請求項１に記載の発明において、外力付与部は内側容器の第２の隔室との近接側における封止部に沿って配置される複室容器。
【請求項７】
請求項６に記載の発明において、外力付与部における内側容器の外側容器の対向内面への固着部は内側容器の前記封止部より第２の隔室側に向け幾分延在する複室容器。
【請求項８】
請求項７に記載の発明において、外力付与部における内側容器の外側容器の対向内面への固着部は内側容器の封止部と実質的に被らないようにされる複室容器。
【請求項９】
請求項１−８のいずれか一項に記載の発明において、前記外力付与部は内側容器の封止部における第２の隔室との近接側の実質的全幅に沿って延設される複室容器。
【請求項１０】
請求項１−９のいずれか一項に記載の発明において、前記第２の隔室における排出口側において外側容器は幅が狭められた形状を呈し、内側容器は外側容器の幅が狭められた部位に設置される複室容器。
【請求項１１】
請求項１から１０のいずれか一項に記載の発明において、内側容器の封止部における第２の隔室との離間側を局部的に外側容器の対向面に固着する補助的外力付与部を備えた複室容器。
【請求項１２】
請求項１１に記載の発明において、前記補助的外力付与部は排出口を挟んで一対設けられた複室容器。
【請求項１３】
請求項１から１２のいずれか一項に記載の発明において、内側容器はその内部を複数の隔室に区画する内側容器区画部を備えた複室容器。
【請求項１４】
請求項１から１３のいずれか一項に記載の発明において、内側容器は可撓性フィルム片を対向面同士で剥離可能に溶着することで開封可能な封止部となし、他方、内側容器の外面をこれに対向した外側容器の内面に剥離不能に溶着することで外力付与部となした複室容器。
【請求項１５】
請求項１４に記載の発明において、内側容器を構成する可撓性フィルムは溶融温度が低い樹脂を素材とする層と溶融温度が高い樹脂を素材とする層とを具備した多層構造より成り、内側容器の封止部は対向した可撓性フィルム片における高溶融温度層の対向面同士の溶着により構成され、外力付与部は可撓性フィルム片における低溶融温度の層を外側容器に対向面同士で溶着することにより構成される複室容器。
【請求項１６】
請求項１から１５のいずれか一項に記載の発明において、内側容器を構成する可撓性フィルムは薬剤収容のための空洞部を画成するための加熱成形された凹部を備える複室容器。
【発明の詳細な説明】
【技術分野】
【０００１】
この発明は輸液等に使用するための可撓性（軟弱）合成樹脂フィルムよりなるバッグ（袋状体）として構成され、内部を剥離可能溶着部により仕切ることにより、多種類の薬剤を個別に収納するようにした複室容器及びそのシール方法に関するものである。
【背景技術】
【０００２】
術後の患者等のための高カロリー輸液用の輸液バッグとして、合成樹脂フィルムを素材として、混合により経時的な品質の変化のおそれがあるアミノ酸を含む液状薬剤と、ブドウ糖を含む液状薬剤とを弱シール部（隔壁）により区画された別個の隔室に分離収容しておくものが近年は広く採用されている。輸液時直前に一方の薬液収容部分を外部より手のひら等により加圧することで輸液バッグを弱シール部との接続部において拡開変形させて弱シール部に外圧を加えることで、隔室間を分離する弱シール部の剥離及び双方の薬剤の混合に至らしめ、輸液に供することができる。このような２液混合型の輸液バッグの改良として、長期にわたり輸液を継続する患者のためビタミン等の微量栄養素の補給のため隔室の内部に小型の袋状体を収納したものも提案されている（特許文献１−３）。即ち、特許文献１及び２の技術では、複室容器はいずれもが合成樹脂フィルムにて形成された容器本体と容器本体内部に収容された小型容器（内側容器）とからなり、内側容器は外周が対向面にて弱シールされ、この弱シール部が外側の容器本体の対向面に固着（強シール）されている。そのため、隔室間の弱シール開通時の容器本体の対向面の拡開・離間は内側容器の開封につながり、内側容器に収容されていた薬剤は隔室に収容されていた薬剤と混合せしめられ、排出口より排出（輸液）することが可能となる。
【０００３】
また、特許文献３の技術では小容器は隔室の間に配置されて幅方向に延設されており、小容器の上下を封止部（弱シール）として構成し、開封部を外側の容器の対向面に溶着（強シール）されている。そのため、隔室連通のための外圧による容器拡開時に小容器の開封部が剥離・開通され、内側容器に収容されていた薬剤は隔室に収容されていた薬剤と混合され、排出口より排出されるに至る。
【０００４】
他方、内側容器を備えたものではないが、隔室を区画するための弱シール部（第１の隔壁）に加えて、この弱シール部より開通のための外圧値がより大きな弱シール部（第２の隔壁）を排出口に近接して設け、第１の隔壁の開通による薬液の混合、これについで更なる加圧により第２の隔壁の開通を起こさせ、隔室間の薬剤を混合を確実に起こさせてから排出を行うようにしたものが提案されている（特許文献４）。
【先行技術文献】
【特許文献】
【０００５】
【特許文献１】特許第４０９６２００号公報
【特許文献２】特許第４８２２８６０号公報
【特許文献３】特開２００４−３１３４８７号公報
【特許文献４】特許第４２３６１３１号公報
【発明の概要】
【発明が解決しようとする課題】
【０００６】
特許文献１−３においては、弱シール部の開通は排出口から離間側の隔室における薬液部分を加圧することにより行うことを前提としており、したがって、内側容器は加圧される側の隔室に設けられており、これにより隔室の開通と内側容器の開封とを連動させることができる。さらに、未開通のまま輸液がされないように、輸液に先立って所定部位（排出口から離間側の隔室）において加圧することにより開通作業を行なうことの必要性についての注意書きが製品の表面に印刷されている。しかしながら、従来の技術においては排出口側（下側）の隔室は直接排出口に開口しているため、開通を行わなくても輸液セットの穿刺を行えば下側の隔室からの輸液の排出は可能であり、この場合は輸液の混合も少量薬剤の導入もされないままの輸液が行なわれてしまう恐れがある。
【０００７】
特許文献４は隔室間の第１の隔壁に加え、排出口の手前に第２の隔壁を設け、第２の隔壁の剥離開通のための外力を第１の隔壁のそれより大きくし、開通順序を第１の隔壁、次いで第２の隔壁としているが、内側容器を備えたものではなく、内側容器を備えた輸液バッグにおける上記問題点に対する解決策をなんら提示してはいない。
【０００８】
この発明は内側容器を内蔵した複室容器における以上の問題点に鑑みなされたものであり、隔室間の第１の隔壁の最初の開通、それに次いでの排出口手前の第２の隔壁の開通という開通順序を確実とすることができ、かつ内側容器の確実な開通も行なわせ、一部の薬剤のみで輸液が行われてしまうという誤操作の可能性を確実に排除できるようにすることを目的とする。
【課題を解決するための手段】
【０００９】
この発明の複室容器は、可撓性フィルムより袋状に形成されて成る外側容器と、外側容器の外周部に固着され、薬剤を排出するための排出口と、前記排出口と離間側において外側容器の内部を区画し、外側容器への外力により開通可能な第１の隔壁と、前記排出口と近接側において外側容器の内部を区画し、第１の隔壁を開通させる外力より大きい外側容器への外力により開通可能な第２の隔壁と、第１の隔壁の排出口から離間側において外側容器内部に形成され、第１の液状薬剤を収容する第１の隔室と、第１の隔壁と第２の隔壁間において外側容器内部に形成され、第２の液状薬剤を収容する第２の隔室と、第２の隔室と排出口との間において外側容器内部に形成され、かつ排出口と連通した排出制御室と、可撓性フィルムより形成され、第２の隔室の排出口と近接側における排出制御室の内側に配置され、補助薬剤を収容し、外周に沿って開封可能に構成された封止部を有した内側容器と、第２の隔室と近接側に沿って内側容器を外側容器の対向内面に固着し、内側容器の前記封止部の開通のための外力を付与する外力付与部とを備えて成る。
内側容器を構成する可撓性フィルムは薬剤収容のための空洞部を形成するための凹部を加熱成形することができる。
【００１０】
第２の隔壁は、第２の隔室との近接側における内側容器の封止部と、内側容器の封止部の第２の隔室との近接側両端部を外側容器側部に第２の隔室と排出制御室とを分離するべく連結する連結部とから構成することができる。
【００１１】
外力付与部に沿った内側容器の第２の隔室側端部において、外力付与部における内側容器の外側容器の対向内面への固着部は内側容器の前記封止部より第２の隔室側に幾分延在させることができる。また、固着部を内側容器の封止部と実質的に被らないようにすることができる。
【００１２】
内側容器の封止部における第２の隔室との離間側を局部的に外側容器の対向面に固着する補助的外力付与部を設けることができる。補助的外力付与部（局部的シール部）は排出口を挟むように一対設置することができる。
【００１３】
また、本発明は以上の複室容器のシール方法であって、隔室と離間側で外周が未シールの外側容器を準備すると共に、他方、内部に補助薬剤を収容し外周を封止部により封止した内側容器を準備し、内側容器を前記未シール部より外側容器に挿入し、隔室と近接側において内側容器の封止部を外側容器の対向内面と溶着することにより外力付与部とすることを特徴とする複室容器のシール方法を提供するものである。そして、内側容器を構成する可撓性フィルムは外力付与部形成のための溶着温度より高い溶着温度の内層を備えたものであり、また、内側容器を構成する可撓性フィルムは隔室との近接側における封止部より隔室側に延出する延出部を備え、外力付与部の形成のため延出部もカバーする大きさの加熱面を備えたシール金型を用いて外力付与部のシールを行うことができる。
【００１４】
複室容器における内側容器の製造に際しては、平坦化された袋状フィルムシートの幅方向中間部を剥離可能にセンターシールすると共に閉じた両端をカットすることにより開放し、シート開放部を介しセンターシールに沿うように注液ノズルを挿入し、シール金型により、シートに剥離可能にサイドシール及びクロスシールによるボトムシールを形成することにより空洞部を画成し、シートに送りをかけた後空洞部に注液ノズルより所定量の薬剤を注入し、クロスシールにより薬剤注入後の空洞部のトップ側の閉塞を行う。このように、シートの送りと適宜協働させながら、サイドシール及びクロスシールによるボトムで閉鎖された空洞部の画成、薬剤の注入及びクロスシールによるトップの閉塞の諸工程を繰り返し、シートを薬剤充填部の連鎖体に構成する。次工程において内側容器としたとき最外面となるシート面に保護膜が剥離可能に貼着されており、外側容器への装着時に保護膜は剥離される。
【００１５】
薬液を注入する空洞部は、シール時にフィルムを注液ノズルの外径部（注液本体）においてシール金型により加圧成形し、形状固定された空洞部とすることができる。
【発明の効果】
【００１６】
内側容器を第２の隔室と排出制御室との間において外側容器内部に配置し、かつ第２の隔室と近接側に沿って内側容器を外側容器の対向内面に固着して成る外力付与部を設け、かつ開封のための外圧を第１の隔壁に比較して第２の隔壁を大きくすることによって、第１の隔壁開通に後続した第２の隔壁の開通に連動して内側容器の封止部を開封することができ、第１及び第２の隔室に収容されていた薬剤を内側容器に収容されていた薬剤と確実に混合して排出口に導入することができる。
【００１７】
また、内側容器の封止部における第２の隔室との近接側を第２の隔壁の形成に与らせることにより外力による内側容器の開封機能が損なわれることなく、外側容器の限定された内部空間の有効利用が可能となり、他方、内側容器の外表面は実質的に全面（溶着部以外）において排出制御室に開放のままとすることができ、滅菌時に排出制御室に収容された少量の注射用水の蒸気により、内側容器及び排出制御室内を滅菌することができる。
【００１８】
外力付与部における内側容器の外側容器の対向内面への固着部第２の隔室側に向け延在させることで、開封時における外側容器を構成するフィルム間の拡開による外力を内側容器の封止部に効率的に伝達することができ、効率的な開封に至らしめることができる。
【００１９】
第２の隔室からの離間側において内側容器の封止部を補助的外力付与部により局部的に外側容器の対向内面に固着することにより、第２の隔壁に加わる外力を内側容器の効率的な開封に寄与させることができる。他方、内側容器は外面においては実質的全面において排出制御室に露出したままであり、内側容器の上記滅菌機能が損なわれることはない。また、補助的外力付与部は、容器形状によって内側容器が第２の隔室側に引き込まれるとすると起こり得る、内側容器の姿勢の崩れを防止し、開封時における内側容器の姿勢を適正に維持し、内側容器のスムースな開封動作を実現することができる。
【００２０】
袋状フィルムシートよりシール・充填を行う薬剤充填部の連鎖体から内側容器を１個１個に切り出すようにすることで、内側容器の効率的な製造が可能となり、またシール時に薬剤収容のための空洞部を加熱成形することで、シートの凸面形状が固定化され、潰れ難くなるため小量の薬剤のための小容積部分を確実に確保することができる。また、保護膜により外側容器への装着に至るまでの間において異物の付着防止や無菌状態を確保することができる。
【図面の簡単な説明】
【００２１】
【図１】図１はこの発明の第１の実施形態における複室型容器の平面図である。
【図２】図２は図１のII−II線に沿った矢視断面図である。
【図３】図３は図１のIII−III線に沿った矢視断面図である。
【図４】図４は図１のIV−IV線に沿った矢視断面図である。
【図５】図５は図１の複室型容器の製造工程における段階（ａ）−（ｃ）を概略的に示す図である。
【図６】図６は図５に後続するこの段階（ｄ）−（ｆ）を概略的に示す図である。
【図７】図７は図５（Ｃ）のVII−VII線に沿った断面図であり、外力付与部としての強シール部形成時におけるシール金型による外袋を構成する樹脂素材に対する内袋の溶着工程（ａ）（ｂ）を概略的に示す図である。
【図８】図８はこの発明の第２の実施形態における複室型容器の平面図である。
【図９】図９は図８のIX−IX線に沿った矢視断面図である。
【図１０】図１０はこの発明の第３の実施形態における複室型容器の平面図である。
【図１１】図１１はこの発明の第４の実施形態における複室型容器の平面図である。
【図１２】図１２は図１１のXII−XII線に沿った矢視断面図である。
【図１３】図１３は図１１のXIII−XIII線に沿った矢視断面図である。
【図１４】図１４はこの発明の第５の実施形態における複室型容器の平面図である。
【図１５】図１５はこの発明の第６の実施形態における複室型容器の平面図である。
【図１６】図１６は図１５のXVI−XVI線に沿った矢視断面図である。
【図１７】図１７は図１６における部分図であるが、外力付与部としての強シール形成時におけるシール金型と外袋及び内袋との位置関係を模式的に示す図である。
【図１８】図１８はこの発明の第７の実施形態における複室型容器の平面図である。
【図１９】図１９はこの発明の第８の実施形態における複室型容器の平面図である。
【図２０】図２０は図１９の複室容器における内袋の製造装置の概略的側面図である。
【図２１】図２１は図１９の複室容器における内袋の製造装置の概略的正面図である。
【図２２】図２２は図１９の複室容器における内袋を構成するフィルムの模式的断面図である。
【図２３】図２３は図２０のXXIII−XXIII線に沿った矢視断面図である。
【図２４】図２４は図２０のXXIV−XXIV線に沿った矢視断面図である。
【図２５】図２５は図２１のXXV−XXV線に沿った矢視断面図である。
【図２６】図２６は図２０のXXVI−XXVI線に沿った矢視断面図であり、（ａ）はシール金型の合体前の状態を示し、（ｂ）は合体後の状態を示す。
【図２７】図２７は図２１のXXVII−XXVII線に沿った矢視断面図である。
【発明を実施するための形態】
【００２２】
以下輸液用バッグとして実施されるこの発明の複室容器の第１の実施形態を説明すると、図１において１０はインフレーション等により成形された外袋（この発明の外側容器）であり、厚さ２００μｍといったポリエチレンフィルムなどの多層構造の合成樹脂軟質フィルム（本発明の可撓性フィルム）を素材とする。外袋１０は平べったい実質的な矩形をなし、図２及び図３に示すように外袋１０を構成する合成樹脂軟質フィルムは一対（上下）のフィルム片１２及び１４を備えており、その外縁部全周を対向面において沿って剥離不能溶着、即ち強シールすることにより袋状に形成して構成される。外袋１０に沿ったこの強シール部を図１において符号１６にて表す。強シール部１６の溶着に際しては、外袋１０の薬液収容部位を外部から加圧した場合にもシール面の剥離が起こらないように、即ち、強シール部１６においては対向フィルム面の完全固着状態が維持されるように溶着温度及び溶着時間の設定が行われている。強シール部１６には外袋１０の下部において排出口１８が、外袋１０の上部には混注口２０が流密状態を維持するように固着されている。外袋１０の排出口１８及び混注口２０は、外袋１０を構成する合成樹脂軟質フィルムとの溶着性を高めるため、これと同質の素材にて金型にて成形される。即ち、外袋１０がポリエチレンを素材とする場合は排出口１８及び混注口２０もポリエチレンを素材に形成される。排出口１８及び混注口２０は上下のフィルム片１２及び１４に剥離不能溶着することにより外袋１０と一体化されている。外袋１０と排出口１８及び混注口２０と一体化のため、外袋１０を構成するフィルム片１２及び１４は排出口１８及び混注口２０を挟んで全周にて液密になるようにかつ外袋１０の外周の強シール部１６と切れ目なく接続するように剥離不能に溶着（強シール）されている。強シール部１６における排出口１８、混注口２０との夫々の溶着部を16A, 16Bにて表す（図１）。排出口１８及び混注口２０はその筒形状を維持し得る肉厚の合成樹脂の金型成形品であり、その構造は基本的には同様であるが、排出口１８について説明すると、排出口１８は図２に示すように、筒状本体２２とキャップ２４とゴム栓２６を備え、筒状本体２２は先端部22-1が上記の溶着部１６Ａによって外袋１０と一体化され、筒状本体２２はテーパ部22-2を介して外袋１０の外部に突出し、筒状本体２２の端部にキャップ２４がゴム栓２６を挟んで固着（溶着）されている。ゴム栓２６は輸液セットのニードルを穿刺するためものものである。混注口２０（図１）は排出口１８と同様な構成を有したものであり、図示しないが、排出口１８のゴム栓２６と同様なゴム栓を供えており、混注用のニードルの穿刺を行うことができるようになっている。
【００２３】
この実施形態において強シール部（剥離不能溶着部）及び弱シール部（剥離可能溶着部）はすべてフィルム対向面を溶着することにより構成されるが、断面（図２、図３、図４及び他実施形態であるが図９、図１２、図１３、図１６、及び図１７）では明確化のため強シール部及び弱シール部における溶着部位は太線（強シールは実線、弱シールは破線）にて表している。
【００２４】
外袋１０における外周の強シール部１６における上部には輸液時に輸液スタンドに懸架するための開口部２７（図１）が形成される。
【００２５】
図１において、２８は外袋１０を構成する上下のフィルム片１２及び１４を対向面にて剥離可能に溶着して構成される弱シール部（この発明の第１の隔壁）である（図２及び図３参照）。弱シール部２８は外袋１０の高さ方向の中間部位を全幅にわたり、即ち、外袋１０の両側の強シール部１６まで強シール部１６と流密に一体連接するように延設されており、そのため、外袋１０の内部空間は上下の第１及び第２の隔室29, 30に分離される。第１及び第２の隔室29, 30に液状薬剤が個々に（分離状態で）収容されるが、液状薬剤としては高カロリー輸液用の場合は、夫々、アミノ酸を含有する薬液とブドウ糖を含有する薬液とである。弱シール部２８の溶着に際しては、隔室29, 30の薬液収容部位を外部から加圧した場合における弱シール部２８との接続部での外袋１０の拡開変形によりシール面の剥離が起こるように溶着温度及び溶着時間を適当に設定される。強シール部１６についても弱シール部２８についても、同じポリエチレンフィルムの対向面同士であることから、ポリエチレンの融点＞強シール部１６のシール温度＞弱シール部２８のシール温度とはなる。具体的にはポリエチレンフィルム同士の強シール部１６（後述の強シール部４２も）のシール温度は１５０℃程度、弱シール部２８のシール温度は１３０℃程度である。
【００２６】
内袋３２（この発明の内側容器）は高カロリー輸液用の場合はビタミン等の補助薬剤を収納するためのものである。内袋３２は平たく細長い矩形をなし外袋１０の内部における下側隔室３０と排出口１８との間に収容されている。内袋３２は後述の外力付与部（強シール部４２）によって外袋１０に連結・固着され、外袋１０の内部の液圧に応動して開封が行われる。強シール部の内側に固着され強シール部16, 42と重なった内袋３２の外縁を図１において破線３２´にて示す。内袋３２は素材としては外袋１０と同様に多層ポリエチレンフィルムにより構成されることは外袋１０と同様であるが耐薬品性のための薬剤と直接接触する特殊な表面層を備えたものとすることができ、例えば、微量又は微量薬剤がビタミンの場合は多層ポリエチレンフィルムより成る基材層の上に環状ポリオレフィン系樹脂(COP)表面層（内袋３２の内面となる層）を形成することができる。基材層を構成するポリエチレン層とCOP樹脂層とは樹脂間の強い親和性によりインフレーション成形による加熱下で強固に一体化した状態で袋状に成形することができる。内袋３２を構成する多層フィルムの構成については図１９に示す別実施形態に関する図２３の説明を参照されたい。図２に示すように、内袋３２は上下のフィルム片34, 36よりなり、この実施形態では簡明のため一液のみを収容するようになっており、上下のフィルム片34, 36は全周に沿って溶着されており、この溶着部は弱シール部３８（この発明の封止部）として構成され、内部に薬剤収容室３９を形成し、ここにビタミン等の微量薬剤が収容される。内袋３２は矩形形状をなしていることから、弱シール部３８は図１に示すように左右両側部38-1, 38-2及び上下側部38-3, 38-4から構成される。そして、弱シール部３８を剥離開通させるための外力の値は隔室29, 30間の弱シール部２８を剥離開通させるための外力の値より適当に大きくなるように溶着温度及び溶着時間が設定される。これにより、外袋１０に対する内袋３２の後述固着構造により、外力により弱シール部２８の開通による隔室29, 30間の薬液の混合、次いで、弱シール部３８の開通による混合薬液への微量薬剤の導入という一連の開通順序の確保を行うことができる。弱シール部２８の溶着面はポリエチレンフィルム、他方、弱シール部３８の溶着面は環状ポリオレフィン系樹脂フィルムであるため、同じ剥離可能シールでも溶着条件は別個に設定し、弱シール部２８の開通のための外力＜弱シール部３８の開通のための外力とする必要がある。同じ開封可能な弱シール部であっても隔室29, 30間を区画する弱シール２８はポリエチレンフィルム同士であり、上記のように温度として１３０℃程度であり、他方、内袋３２の弱シール部３８のシール温度は環状ポリオレフィン系樹脂フィルム同士の溶着であり、素材の溶融温度が高くなるため、弱シール部２８の開通のための外力＜弱シール部３８の開通のための外力とする必要も加味すると、弱シールといっても１８０℃程度と高くなる。
【００２７】
排出制御室４０は下側隔室３０と排出口１８との間において外側容器１０の内部に形成され、かつ排出口１８に常時開口している。また、内袋３２との一般的位置関係であるが第２の隔室３０と排出口１８との間において排出制御室４０の内側に内袋３２は配置されている。
【００２８】
次に、この発明の実施形態における外袋１０に対する内袋３２の固着構造について詳細に説明すると、この実施形態では内袋３２は外袋１０の全幅近く即ち外袋１０の左右対向側縁の少し手前まで延びており、換言すれば内袋３２はその幅が外袋１０の幅より幾分狭くなっている。図５及び図６にて後述する輸液バッグ製造工程から明らかとなろうが、内袋３２の弱シール部３８（封止部）の上側部38-3の両端及び左右両側部38-1, 38-2は外縁部が外袋を構成するフィルム片12, 14により挟まれ、この部位において強シール部１６はその幅が幾分広くとられ、幅広部16-1を構成している（内袋３２を保持し得るものであれば幅広とせず同一幅のままでも良い）。内袋３２の弱シール部３８の上側部38-3の幅方向両端は強シール部１６の幅広部16-1における上下フィルム片12, 14間で強シールされることにより一体化され、下側隔室３０の下縁が区切られまた下側隔室３０と排出制御室４０とが液密的に隔離される。即ち、内袋３２の弱シール部３８の上側部38-3（内側容器の第２の隔室３０との近接側における弱シール部３８）と、強シール部１６の幅広部16-1（内側容器の第２の隔室３０との近接側における弱シール部３８を両端において外側容器の対向外周側部１６に下側隔室３０と排出制御室４０とを分離するべく連結する本発明の連結部を構成する）とがこの実施形態における本発明の第２の隔壁を構成する。即ち、下側隔室３０は、第１の隔壁としての弱シール部２８と、内袋３２の弱シール部３８の上側部38-3が強シール１６の幅広部16-1に一体化されることにより構成される第２の隔壁と、の間に位置している。排出制御室４０は上述のように排出口１８に常時開口しているが、この実施形態においては、内袋３２の弱シール部３８の上側部38-3を強シール１６の幅広部16-1に一体化することにより構成される第２の隔壁が排出制御室４０の上側を区切ることになる。そして、排出制御室４０は弱シール部３８の開通時に隔室29, 30の薬液を内袋３２の少量薬剤と共に排出口１８に導く役割を果たすことになる。内袋３２の弱シール部３８の上側部38-3を下側隔室３０の下縁となる第２の隔壁と兼用させたこの実施形態の構造は外袋１０の限定された内部空間の有効利用が可能となり、他方、内袋３２の外表面は強シール(16, 42)との溶着部（38-3, 38-1, 38-2, 44）以外において排出制御室４０に開放のままであるため、後述のように内袋３２の滅菌に有利である。そして、この実施形態においては、内袋３２の弱シール部３８の左右両側部38-1, 38-2も幅広部16-1を構成するフィルム片12, 14間に挟着され強シールされている。即ち、内袋３２の上側部38-3の両端と溶着して本発明の連結部を構成する強シール部１６（幅広部16-1）はこれに連接して及び内袋３２の左右両側部38-1, 38-2にも強溶着される構造となっている。この構造は開通時に内袋３２の左右両側部38-1, 38-2を保持することで、内袋３２の上側部38-3及び下側部38-4に外力を集中的に加えてその開通に至らせ薬液の円滑な排出に寄与させることができる点で有利である。
【００２９】
次に、外袋１０に対する外力よって内袋３２を開通させるための、外袋１０に対する内袋３２の固着構造について詳細に説明すると、内袋３２は外周に沿った弱シール部３８における幅方向における左右両側部38-1, 38-2（図１）が外袋１０の強シール部１６（幅広部16-1）を構成する上下のフィルム片１２及び１４間において強溶着され、かつ上側部38-3（図１、図３及び図４）が全幅に沿って外袋１０の上下のフィルム片１２及び１４の対向面に強シール（剥離不能溶着＝固着）されている。内袋３２の上側部38-3を外袋１０の対向面に対する強シール部は符号４２にて表され、この強シール部４２（本発明の外力付与部）は強シール部１６の左右両側部分に一体連接するように全幅に沿ってかつ内袋３２の弱シール部３８における上側側部38-3と上下殆ど重なるように（図２及び図３参照）延設されている。強シール部４２により、外袋１０の内部に内袋３２が第２の隔室と近接側において固着され、かつ外部から加圧することにより生ずる液圧を受けて内袋３２を拡開・開通に至らしめることができる。そして、内袋３２は外周に沿った弱シール部３８における下側側部38-4（排出口１８と近接側）については次に説明のポイントシール部４４を除き外袋１０とはフリー（非溶着）である。そのため、内袋３２の外面における非溶着部を排出制御室４０に開口させることができる。排出制御室４０には輸液バックの製造工程における湿熱下の滅菌のための少量の水を充填することができる。そして、内袋３２は外周に沿った弱シール部３８における下側側部38-4（内袋３２における封止部の第２隔室３０との離間側）における幅方向の中央部位において、外袋１０の対向面に局部的に強シール（所謂ポイントシール）され、この局部的な強シール部（本発明の補助的外力付与部）を４４にて表す（図２も参照）。局部的な強シール部４４は外力による内袋３２の全周の開通及び開通時の姿勢維持に寄与させることができる。本発明の外力付与部としての強シール部４２は外袋１０の内面に対する内袋３２の外面の溶着であるため、ポリエチレン同士の溶着であり、溶着温度は前述の通り１５０℃程度であり、シール金型間で挟着しても環状ポリオレフィン同士である内袋３２の内面同士が溶着されることはなく、強シール部４２と内袋の弱シール部３８（の上側部38-3）とを重ねた実施形態の配置としても弱シール部３８は弱シール部のままである。
【００３０】
輸液バッグ開通時の外袋１０への外力を内袋３２にその開封のため伝達する本発明の外力付与部は強シール部４２により構成され、強シール部４２は内袋３２の弱シール部３８における上側部38-3に上下で重なるように幅方向に設けられている。そして図２及び図３の断面図において強シール部４２（対向面間の溶着部を太い実線にて示す）と弱シール部３８の上側部38-3とは紙面と直交して実質的に全幅に延びている。内袋３２の弱シール部３８（対向面間の溶着部を太い点線にて示す）の上側部38-3においては、実質的全幅において、内袋３２を構成する上下合成樹脂フィルム片34, 36の端縁部34-1, 36-1は外袋１０を形成する上下合成樹脂フィルム片12, 14の内面に沿って隔室３０内に向け幾分延出されており、この端縁部34-1, 36-1は外袋１０を構成する上下フィルム片12, 14の対向面に全幅で強溶着（強シール部４２における端縁部34-1, 36-1の溶着部を４２´にて示す）され、他方内袋３２を構成するフィルム片34, 36の端縁部34-1, 36-1は内面同士は当然に分離されている。換言すれば、内袋３２を構成するフィルム片34, 36間の内面同士の太い点線にて示す溶着部（弱シール部３８の上側部38-3）と比較して、外袋１０を構成する上下フィルム片12, 14の内面と内袋３２を構成するフィルム片34, 36の外面との太い実線にて示す溶着部（強シール部４２）はより隔室(30)側に延在している。外袋１０を構成する上下フィルム片12, 14が、強シール部４２（４２´）にて内袋３２を構成するフィルム片34, 36における隔室(30)側の延出部34-1, 36-1に強溶着されているこの構成は、開封時における外袋１０を構成するフィルム片12, 14間の拡開による外力を隔室側の端縁部34-1, 36-1を介して内袋３２の弱シール部３８、特に、内袋３２の開封の起点となる上側側部38-3に効率的に伝達することを可能とし、内袋３２の開封を確実化することに役立てることができる。
【００３１】
本発明では内袋３２の内面を構成する樹脂層は環状ポリオレフィン系樹脂フィルム等であり、この上に外袋１０と同素材（ポリエチレン）を多層とした構造（図１９の実施形態に関連して図２２を参照されたい）であるが、内袋３２の内面を構成する樹脂（環状ポリオレフィン系樹脂等）はその溶融温度がその上層を構成する樹脂（ポリエチレン等）の溶融温度より相当高く、そのため、薬剤を収容し外周(38)を弱シールして完成した内袋３２を外袋１０の内部に収容し、シール金具で外部から挟着することにより外袋１０内面と内袋３２外面との間（実施形態ではポリエチレンフィルム同士）で強シール(42, 42', 44)しても（シール温度は１５０℃程度）、内袋３２の内面同士（実施形態では環状ポリオレフィン系樹脂フィルム同士）が溶着に至ることはないし、シール金具の温度により内袋３２の弱シール部３８（シール温度は１８０℃程度）の適正な弱シール状態が損なわれてしまうこともない。
【００３２】
図５及び図６の（ａ）−（ｆ）は第１の実施形態の輸液バッグの製造工程の一例を順を追って説明するものであり、筒状合成樹脂フィルムはロールに巻かれており、ロールから引き出されたシートに輸液バッグの輪郭形状に従って強シール及び弱シールを行い、外袋となる素材４８は、ロールから引き出された筒状ポリエチレン多層フィルムシートに製品における強シール及び弱シールとなる一部の部位を含めて予め強シール及び弱シールを施し（筒状シートの上下対向面を溶着し）、その後外袋１０の輪郭に従ってトリミングしたものを示す。素材４８の外周部は所々に強シールされておりこれは製品の強シール部１６（図１）の一部となる。また、弱シール部２８は既に形成されている。後に混注口の装着部位となる未シール部を48-1にて示す。
【００３３】
次の工程（ｂ）は予め製造済の内袋３２の挿入工程を示す。内袋３２は図１−図４を参照して既に説明のように、外周を弱シール部３８とし、内部に微量薬剤が収納済となっており、かつ表裏面を離可能な保護膜により被覆した状態で提供される。内袋３２の幅Ｗ１は外袋となる素材４８の幅Ｗ２より幾分狭くとられており、外袋の排出口装着側となる素材４８の端部48-2は未溶着であり、端部48-2における上下フィルム片間に内袋３２が表裏面の保護膜を剥離された後、個々にカットされ、所定位置まで挿入される（矢印Ａ）。内袋の製造工程の具体例については図１９の実施形態との関連において後述する。
【００３４】
工程（ｃ）は挿入後の内袋素材４８に対する固着（強シール）工程を示し、対向する一対の加熱面が幅方向に延びるシール金型の挟着により内袋３２の外周弱シール部３８における内側（隔室側）側部38-3が外袋素材４８の対向内面に強溶着され、強シール部４２（図２及び図３の４２´の部位も含む）が形成され、同時に強シール部１６における内袋３２の側部38-1, 38-2を固着している幅広部位16-1も形成される。強シール部（４２）の形成のためのシール金型は強シール部の大きさに準じた大きさの加熱面を持っているが、外袋１０を構成するフィルム片12, 14の内面と内袋３２を構成するフィルム34, 36の外面とはポリエチレンフィルム同士であり、前述のように１５０℃程度の温度で、シール金型により図２及び図３に示す内袋３２の隔室３０の側への延出端部34-1, 36-1に至るまで強シールされ、強シール部４２（４２´で示す部位も）が形成される。シール金型は、当然に、内袋３２を構成するフィルム片34, 36における隔室３０の側への延出端部34-1, 36-1の内面同士も加圧するが、内袋３２の内面を構成する環状ポリオレフィン系樹脂は溶融温度が高いため、１５０℃程度に加熱したシール金型では内袋３２を構成するフィルム片34, 36における隔室３０の側への延出端部34-1, 36-1は内面同士では溶着されない。また、内袋３２の弱シール部３８にもシール金型の熱が加わるが弱シール部３８は弱シールのままである。
【００３５】
図７（ａ）（ｂ）はシール金型による強シール部４２の形成を模式的に示す断面図であり、金型は上部ダイ１０２と下部ダイ１０４（図６の紙面直交方向に全幅に延びる）とを備え、上述の１５０℃程度といった所定温度に加熱された上下のダイ102, 104間で外袋素材４８と内袋３２とが挟着され、外袋素材４８と内袋３２とは対向面で上下のダイ102, 104による加熱下で図７（ａ）のように密着される。この際、内袋３２を構成するフィルム片34, 36における封止部38-3だけでなく封止部38-3からの延出端部34-1, 36-1も加熱かつ加圧される。したがって、封止部38-3の外面だけでなく延出端部34-1, 36-1の外面も低溶融温度故外袋素材４８の対向内面に強シールされる。そして、延出端部34-1, 36-1の内面同士は高溶融温度層同士であるためダイ102, 104による加熱下での加圧に関わらず溶着は起こらない。封止部38-3は内面を構成する樹脂フィルム層の高溶融温度（上述のように１８０℃程度）故にシール金型からの熱に関わらず弱シールとして維持される。所定溶着時間経過後に上下のダイ102, 104が図７（ｂ）で示すように離間する。外袋素材４８の内面と内袋３２の外面とが強溶着（太実線）されることで、強シール部４２が形成され、延出端部34-1, 36-1の外面も外袋素材４８の対向内面に強シール（太実線で表す）され、封止部３８（下側側部38-4）は弱シール（太破線）のままであり、図３における外袋１０に対する内袋３２の取り付け構造が得られる。尚、作図上図３と図７とで位置関係が左右反対となっていることに注意されたい。
【００３６】
図６に示す、工程（ｄ）では外袋の外周の強シール部１６の一部である素材４８の排出口側の端部48-4が強シールされ、内袋３２を排出口側で外袋対向面に固着するポイントシール部４４（図２）も形成されるが、48-5の部位は排出口１８の装着用の開口部として未シールのまま残される。
【００３７】
工程（ｅ）においては未シール部位48-5への排出口１８の装着及び強シールがされ、これについては図１及び図２に既に説明の通りであり、また、素材４８の状態で未シールのままの部位48-1（図５（ａ）も参照）には混注口２０が挿入され、排出口１８と同様に強シールされ、強シール部16A, 16B（図１も参照）が形成される。これにより、排出制御室４０が封止形成される。排出制御室４０の封止形成に先立って、後述の湿熱下の滅菌のため微量の蒸留水の充填が行われる。この状態では素材４８の部位48-6, 48-7が未シールのまま残っている。
【００３８】
次の工程では素材４８の未シール部位48-6, 48-7より夫々の薬液の充填が行なわれる（矢印 B,C）。薬液充填は同時に行なうことができる。薬液充填後に未シール部位48-6, 48-7の強シールが行なわれ、夫々の薬液を充填した隔室29, 30が得られる。（ｆ）は輸液バッグとして完成したもの（図１のものと同じ）を示す。
【００３９】
完成した輸液バッグはこの後蒸気滅菌機による滅菌工程が実施される。輸液バッグの内袋３２は側部位38-1, 38-2及び第２隔室側の側部38-3が強シール部16, 42によって外袋対向面に固着されているが、排出口側の側部38-4はポイントシール部４４で外袋対向面に固着されているのみであり、内袋３２は強溶着部を除いたその全外面で排出制御室４０に露出しているため、内袋３２の外面は湿熱下での滅菌を受けることができる。即ち、工程（ｅ）における排出制御室４０への充填水は蒸気滅菌機での加熱により蒸発し水蒸気となって排出制御室４０内に充満し、内袋３２の外面を全面的に湿熱下で効率的に滅菌することができる。
【００４０】
以上説明の実施形態の輸液バッグにおいて輸液時の開封は輸液バッグを机などの台上に載置し、隔室29, 30の薬液収容部位の一方又は双方を外部から手のひらで加圧して行なう。混注口２０の側の隔室２９の側のみで加圧を行なった場合は外袋１０は隔室２９側で弱シール２８との接続部位で拡開され、隔室29, 30間を区画する弱シール２８に加わる外力により弱シール２８を最初に開通させる。これに対して、隔室29, 30の双方の加圧又は排出口１８側の隔室３０のみ加圧を行なった場合、外袋１０は隔室３０側における弱シール２８の接続部位及び弱シール３８（上側部38-3）への接続部位でも拡開される。弱シール３８の上側部38-3への接続部位への力伝達は外袋１０を構成する合成樹脂フィルム片が強シール部４２によって弱シール３８の上側部38-3に固着されていることによる。しかしながら、前述のように、弱シール部３８を剥離開通する外力＞弱シール部２８を剥離開通させる外力となっているため、最初は隔室29, 30間を区画する弱シール２８が剥離し、更なる加圧の継続により弱シール３８を剥離開通させる。即ち、弱シール３８は外袋１０への接続部位である上側部38-3を起点に剥離開通されるが、外部からの加圧の継続による外袋１０を構成する合成樹脂フィルム片12, 14の拡開により排出制御室４０側の部位38-4でも剥離開通に至る。そのため、上側隔室２９に収容された薬液及び下側隔室３０に収容された薬液更には内袋３２に収容された薬剤は全て排出口１８に導くことができ、薬剤が未混合で輸液されてしまう恐れを排除している。
【００４１】
そして、図２及び図３において断面で示すように、強シール部（本発明の外力付与部）４２は弱シール３８の上側部38-3に沿って設けられる（図２及び図３の紙面直交方向）。そして、内袋３２を構成する上下合成樹脂フィルム34, 36の端部34-1, 36-1が隔室３０に向けて延出しており、隔室３０側への延出端部34-1, 36-1に至るまで外袋１０を構成する上下フィルム12, 14の内面に強シールされており、そのため、輸液バッグ開通時の外袋１０を構成する上下フィルム12, 14の拡開による外力は上下フィルム12, 14に追従して拡開する内袋３２を構成する上下フィルム端部34-1, 36-1を介して、内袋３２を構成する上下フィルム34, 36の内面同士の溶着部である弱シール部３８の上側部38-3に効率的に伝達され、ここを開封の基点に内袋３２の弱シール部３８の確実な開封を促すことができる。また、図１において内袋３２の弱シール部３８は左右両側部38-1, 38-2においても強シール部１６（図１の幅広部16-1）に一体化されている構成により、外力が弱シール部３８にかかるときに内袋３２が外袋１０の内面対向部に引っ張られる力を強シール部１６が受け、内袋３２が内側に引っ張り込まれることがないため、輸液の流れ方向である弱シール部３８の上、下側部38-3, 38-4を確実に開封し、輸液を隈なく排出口１８に導くことができる。さらに、内袋３２は排出制御室４２側の側部38-4でポイントシール部４４により外袋対向面に強シールされているため、内袋３２の全幅での開通を促し、輸液を隈なく排出口１８に導くことができかつ開通時において内袋３２が排出口離間側に引っ張り込まれることがないため内袋３２の姿勢を適性に維持することにも役立てることができる。
【００４２】
図８及び図９はこの発明の第２の実施形態を示し、第１の実施形態との相違点は内袋３２の上下フィルム片34, 36を剥離可能に溶着する弱シール部６０（本発明の内側容器区画部）を備えており、弱シール部６０によって内袋３２の内部は左右の隔室62, 64に区画され、それぞれの隔室62, 64に別々の補助薬剤を収容することができる。そのため、外袋１０における薬液の外部からの加圧下での外力付与部（強シール部４２）による内袋３２の外周の弱シール部３８の開封時に弱シール部６０も開封され、隔室62, 64内の薬剤を排出口１８に向けて排出することができる。
【００４３】
図１０は別の実施形態を示し、外袋１０の下端10-1（第２の隔室側）が排出口１８に向けて幅が徐々に狭められた形状をなしている。この外袋１０の下端部10-1に内袋３２が位置する。内袋３２が外周に沿って弱シール部３８（本発明の封止部）を有し、弱シール部３８は左右側部38-1, 38-2及び上下側部38-3, 38-4より成る。左右側部38-1, 38-2は外袋１０の下端10-1 の形状に倣って傾斜しているが、強シール部１６における幅広部16-1を構成する上下フィルムに溶着される。内袋３２の弱シール部３８の隔室３０との近接側（上側側部38-3）と強シール１６のこの部位16-1とで下側隔室３０と排出制御室４０とを隔離する第２の隔壁が形成されることは同様である。また、外袋１０の上下フィルム片が内袋３２の弱シール部３８の上側側部38-3に重なるように強溶着されて、外力付与部となる強シール部４２を構成していることも同様である。そして、この実施形態では内袋３２の内部は内側容器区画部としての弱シール部６０により上下の隔室72, 74に区画されている。
【００４４】
図１１は更に別の本発明の実施形態を示し、内袋３２は、外周の弱シール部３８（本発明の封止部）の上側部分38-3の両端が外袋１０の外周の強シール部１６の左右側部から相当に間隔をおいて終端している。そして、内袋３２の外周の弱シール部３８の両側部分38-1, 38-2の下端も外袋１０の外周の強シール部１６の下側部から間隔をおいて終端している。内袋３２は弱シール部３８の上側部分38-3及び両側部分38-1, 38-2に沿って外袋１０の対向面に強シールされ、この強シール部４２が本発明の外力付与部を構成し、外袋１０への外力により弱シール部３８が剥離され、内袋３２の開封が行なわれるのは第１の実施形態と同様である。そして、強シール部４２は弱シール部３８の上側部分38-3及び両側部分38-1, 38-2の下端を越えて、外袋１０の外周の強シール部１６の下側部まで延設される延出部42-1, 42-2を備えている（図１３も参照）。延出部42-1, 42-2は外袋を構成する合成樹脂フィルム対向部を溶着している。即ち、この実施形態では弱シール部３８の上側部分38-3並びに両側部分38-1及び38-2が弱シール部３８における下側隔室３０との近接側となるが、強シール部４２に延出部42-1, 42-2を設けることにより下側隔室３０と排出制御室４０が流密分離され、即ち、強シール部４２の延出部42-1, 42-2が内側容器の第２の隔室との近接側における封止部(38-1, 38-2及び38-3)を両端において外側容器の対向外周側部（強シール部）１６に下側隔室３０と排出制御室４０とを分離しつつ連結する本発明の連結部を構成することになる。換言すれば、弱シール部３８の上側部分38-3及び両側部分38-1, 38-2と強シール４２の延出部42-1, 42-2とが協働することで第２の隔室３０と排出制御室４０とを分離する本発明の第２の隔壁が構成される。また、内袋３２は横方向に延びる弱シール部６０（この発明の内側容器区画部）によって内部を夫々が補助薬剤を収容する隔室72, 74に分離している（図１２も参照）。
【００４５】
図１４は別実施形態を示し、外袋１０の幅が狭められた下端部10-1Aを有しており、この点図１０の実施形態に類似するが、図１４では下端部10-1Aはネック状に絞られており、この部位10-1に内袋３２（強シール部16, 42と重なった輪郭線を破線にて示す）が収容される。内袋３２が封止部３８(38-1, 38-2, 38-3及び38-4) を備え、封止部３８における下側隔室３０と近接した上側部38-3に沿って強シール部４２は外袋１０の内面を対向した内袋３２（弱シール部６０により上下の隔室72, 74に区画されている）の内面に固着した構成は図１及びその他の実施形態と相違がない。また、封止部３８の上側部38-3の両端及び左右の両側部38-2が外袋１０の外周の強シール部１６の形成時、外袋１０を構成する上下のフィルム片間に挟着され、流密構造を得る構造についても相違がない。尚、この実施形態においては、強シール部１６は封止部３８の左右の両側部38-2との固着部においても幅は同一を維持している。
【００４６】
図１４の実施形態では内袋３２が外袋１０のネック状の下端部10-1Aに収容されており、内袋３２が小型化され、寸法精度を出しやすくなる。また、封止部３８における輸液流通方向における上下側部38-3, 38-4の長さが短縮し、開通時の応力がより集中的に加わるため、内袋３２の剥離開通が容易・確実となる。
【００４７】
以上の実施形態においては、強シール部４２は内袋３２の封止部３８における下側隔室３０と近接側、即ち、上側部38-3と上下に重なる（被る）又は実質的に重なる（被る）固着（強溶着）構造を採用しているが、強シール部４２が封止部３８の上側部と被らない構造（強シール部４２における対向溶着部が実質的に隔室３０側のみに位置する構造）を採用することが可能であり、以下、この実施形態につき、図１５を参照して説明すると、図５は図１と基本的には同様であり、内袋３２は外袋１０の外周の強シール部１６まで延びており、下側隔室３０排出室４０間の流密構造を得ている。尚、図１とは相違して、強シール部１６は幅広部16-1は備えず、内袋３２の両端は強シール部１６を構成する上部フィルム間で挟着・シールされる。図１と同様に封止部（弱シール部）３８は左右の側部38-1, 38-2及び上下の上下側部38-3, 38-4を備える。縦方向の弱シール部６０によって内袋３２の内部は左右の隔室62, 64に区画されている。外力付与部としての強シール部４２は他の実施形態と同様、外袋１０の内面を内袋３２の対向外面に固着するが、強シール部４２は封止部38-3より隔室３０側にずれており、両者は殆ど又は全然被らない配置となっている。即ち、図１６に示すように、外袋１０を構成する上下フィルム12, 14と内袋３２を構成する上下合成樹脂フィルム片34, 36との強溶着は実質的に端縁部34-1, 36-1のみで行われている。外袋１０を構成する合成樹脂フィルム片12, 14は内袋３２を構成する合成樹脂フィルム片34, 36とは封止部38-3においては溶着されていない。
【００４８】
図１７はこの実施形態におけるシール金型による強シール部４２の形成を図７（ｂ）に準じて模式的に示す断面図であり、所定温度に加熱された上下のダイ102, 104間で外袋３０と内袋３２とが挟着され、外袋１０を挟んで、内袋３２を構成するフィルム片34, 36における封止部38-3から第２の隔室３２への延出端部34-1, 36-1の加圧が行なわれる。上下のダイ102, 104は外袋１０と内袋３２との対向面の加圧は延出端部34-1, 36-1より封止部38-3側では行なわない。従って、封止部38-3とは実質的に被らないように延出端部34-1, 36-1が外袋１０を構成する上下フィルム片12, 14の対向面に溶着され（延出端部34-1, 36-1の対向内面同士は高溶融温度層同士で溶着は起こらず）、外力付与部としての強シール部４２の形成が行なわれる（図１６）。
【００４９】
この実施形態においても、開封時における外袋１０を構成するフィルム片12, 14間の拡開による外力を隔室側の端縁部34-1, 36-1を介して開封部38-3に効率的に伝達することができるため、確実な開封を実現することができる。そして、外力付与部としての強シール部４２とが開封部38-3とが重なった溶着構造との比較では、強シール部４２とが開封部38-3とが重なった構造の場合は、図３等に示すように溶着部が上下で４箇所重なり、この部位で容器が硬くなり易いが、この実施形態では強シール部４２（太実線）と弱シールである開封部38-3（太破線）とは重ならないか又は実質上重ならないため容器が局部的に硬くなりすぎることを防止することができる。
【００５０】
図１８は図８の実施形態の変形実施形態であり、内袋３２の封止部（弱シール部）３８は左右の側部38-1, 38-2及び上下側部38-3, 38-4を備える。しかしながら、内袋３２は小型化され左右の幅が狭くなっており、上下側部38-3, 38-4は左右両側の強シール部１６に届いていない。外力付与部としての強シール部４２は外袋１０の内面を封止部３８の上側部38-3において内袋３２の外面に強シールする。強シール部４２は封止部３８の上側部38-3を超えた部分42A, 42Bが外袋１０の左右両側の強シール部１６まで延びここに一体連結されている。隔室３０と排出制御室４０との間の流密分離（本発明の第２の隔壁の形成）は内袋３２の封止部３８の上側部38-3がその両側の強シール部４２における外袋１０の上下フィルム片を溶着する部分42A, 42Bを介し強シール部１６まで延びここに一体連結されていることにより行なわれることになる。部分42A, 42Bは外袋１０の対向内面を剥離可能に溶着する弱シールとして構成することも可能である。外力付与部としての強シール部４２は図３及び図７に準じて内袋３２の封止部３８における上側部38-3と被るような構成とし、隔室３０と排出制御室４０との流密分離状態を確保することができる。即ち、強シール部４２が図１６のように、内袋３２の封止部３８における上側部38-3と重ならない構造であると、内袋３２の封止部３８の上側部38-3と強シール部４２の部分42A, 42Bとの接続部において液漏れが生じ、本発明の第２の隔壁としての機能が喪失されることになるから、その機能確保のためシール部42, 38-3の重なりが必要である。
【００５１】
図１９は第８の実施形態の複室容器を示しており、図１４の実施形態と似通っているが、薬液バッグの下部の形状が幾分異なっており、また、外袋１０内に内袋３２を固定する外袋１０の強溶着部16-1の形態にも相違がある。すなわち、強溶着部16-1は外袋１０の外周の強シール部１６から内袋３２に向けて幅の狭い先端部16-1Aが内袋３２の上側（隔室３０側）隅部まで延設される。そして、内袋３２の弱シール部３８における左右両側部38-1, 38-2と上側側部38-3との接続部が強溶着部16-1により外袋１０に固定されている。先端部16-1Aより排出口１８側においては内袋３２は外袋１０に対しては基本的にはフリーであるが、内袋３２は下側側部38-4における両端において、即ち、排出口１８を挟むように、ポイントシール部44-1, 44-2により外袋１０に固定される。即ち、外袋１０の上下フィルム面は内袋３２の弱シール部３８における下側側部38-4に44-1, 44-2にて示す局所的部位において剥離不能に強溶着されている。図１４の実施形態と内袋３２は外袋１０の幅方向に細長い長方形状をなし、その内部は内側容器区画部としての弱シール部６０により上下の隔室72, 74に区画されている。ポイントシール部44-1, 44-2を両側に設置することにより図６（ｄ）（ｅ）にて説明した排出口１８の装着時に開口部48-5を構成するフィルム間を広げ易くなり、所定位置への排出口１８の挿入をより容易・確実に行なうことができる。
【００５２】
次に、この第８の実施形態における内袋３２の製造方法を説明すると、図２０及び図２１において、内袋３２を構成する筒状シート状素材８０はインフレーション等により成形されたロールＲに巻かれている。図２２はシート状素材８０を構成するフィルムＦの断面形状を模式的に示しており、多層ポリエチレンフィルムより成るポリエチレン基材層F1の片面（内袋３２の内面となる層）に環状ポリオレフィン系樹脂(COP)層F2を形成し、他面（内袋３２の外面となる層）にポリアミド樹脂（ナイロン）よりなる保護膜F3を剥離可能に貼着してなる。図２０に示すように、ロールＲからシート状素材８０を引き出すための駆動部82-1, 82-2が下流側に設置される。駆動部82-1, 82-2は適宜の駆動装置を備えており、ロールＲからシート状の素材８０の所期の引き出し運動の制御を行うことができるように構成される。尚、素材８０のインフレーションの際にフィルムＦを構成するポリエチレン基材層F1、環状ポリオレフィン系樹脂(COP)層F2及び保護膜となるポリアミド樹脂層F3は多重溶融押し出しノズルを使用することにより形成されるが、ポリアミド樹脂層F3は基材層F1に対しては一体化するほどの親和性は無いが、相互の粘着（剥離は可能）は維持してインフレーションが行われる。このため、筒状シート状素材８０に対する以下説明の内袋連鎖体成形工程においてポリアミド樹脂層F3（保護膜）は粘着したままに維持される。保護膜F3は、ポリエチレン基材層と親和性の弱い樹脂であれば特に限定されずポリプロピレン、エチレンビニルアルコール共重合体等を用いることもできる。
【００５３】
図２３はロールＲから引き出された直後のシート状素材８０の断面形状を模式的に示しており、扁平であるが両端が閉じた袋状をなしており、シート状素材８０の対向内面が図２２における環状ポリオレフィン系樹脂(COP)層F2となっている。
【００５４】
図２０に示すようにガイドローラ84, 85間にセンター用シール装置（金型）86-1, 86-2が配置され、金型86-1, 86-2の箇所で一旦停止されたシート状素材７８はシール金型86-1, 86-2が図２４に示すように合体することにより内面（環状ポリオレフィン系樹脂(COP)層F2）同士が幅方向の中心にて所定幅にて剥離可能溶着（弱シール）される。シール金型86-1, 86-2の開放状態での加熱面の長さ分の移動及びこれに継続するシール金型86-1, 86-2の合体によるシールの繰り返しにより図２１に示すように弱シール部（センターシール）８０Ａはシート状素材７８の中心線に沿うように全長にわたり形成され、図１９における小袋３８の弱シール部６０となる。センターシール８０Ａを形成する環状ポリオレフィン系樹脂(COP)層F2同士の弱シール温度は図の実施形態に関連して既に説明の通り１８０℃程度である。
【００５５】
ガイドローラ84-2の下流にカッタ８８が配置され、カッタ８８によりシート状素材８０がその幅方向の両端縁部が切除され、シート状素材８０はその両側に図２５に示すように開口部80B-1, 80B-2を形成する。
【００５６】
図２０において、カッタ８８の下流にはシート状素材８０の移動方向に沿って延びる円形柱状の注液本体90-1, 90-2 （後述のようにシートに凸面形状を付与するための成形金型としても役立つ）が配置され、注液本体90-1, 90-2は両側よりシート状素材８０の開口部80B-1, 80B-2を介してシート状素材８０の内部においてセンターシール８０Ａに沿うように挿入位置されている（図２６（ａ）も参照）。筒状をなす注液本体90-1, 90-2にその中心線に沿って全長を超えて注液ノズル92-1, 92-2が嵌挿固定されている。注液ノズル92-1, 92-2の上端は液状薬剤の供給管93-1, 93-2（図２１）に接続され、薬剤供給管93-1, 93-2はシート状素材８０の開口部80B-1, 80B-2より外部に延出され、図示しない夫々の薬剤供給源（タンク及びポンプ等）に接続されている。シート状素材８０を介して注液本体90-1, 90-2を挟むようにサイド用シール金型94-1, 94-2 が配置される。図２６（ａ）に示すように、シール金型94-1, 94-2 は横断面において注液本体90-1, 90-2の外径の上及び下半分を略倣う形状の凹面94-1A, 94-1B; 94-2A, 94-1Bを形成している。この凹面94-1A, 94-1B; 94-2A, 94-1Bは図２０に示すように金型94-1, 94-2の上端面から下端面まで延びている。図２６に示すように、金型94-1, 94-2における凹面94-1A, 94-1B; 94-2A, 94-1Bの両側は平坦面94-1C, 94-2Cを呈しており、この平坦面94-1C, 94-2Cがシート状素材８０の両サイドのシールを行う。図２０に示すようにサイド用シール金型94-1, 94-2の下方の位置（一つの薬剤封止部の長さ分離間した位置）にクロス用のシール金型95-1, 95-2が配置される。
【００５７】
図２６（ａ）はシール金型94-1, 94-2の開放位置を示し、図２６（ｂ）は図２６（ａ）の位置からシール用金型94-1, 94-2を合体させたシール位置を示す。平坦面94-1C, 94-2Cがシート状素材８０を挟んで合体（図２０の左右）することによりシート状素材８０にサイドシール80C-1, 80C-2（図１９の内袋３２の弱シール部３８における上下側部38-3, 38-4となる）が形成され、また、シール金型95-1, 95-2が合体（図２０の左右）することによりシート状素材８０にクロスシール８０Ｄ（図１０の内袋３２の弱シール部３８における左右両側部38-1, 38-2となる）が形成される。また、金型94-1, 94-2の凹面94-1A, 94-1B; 94-2A, 94-1Bが注液本体90-1, 90-2の外径の上及び下半分を略倣う形状を呈していることから、シート状素材８０は凹面94-1A, 94-1B; 94-2A, 94-1Bと注液本体90-1, 90-2の外径面との間で挟着され、かつ環状ポリオレフィン系樹脂(COP)層F2同士の弱シール温度である１８０℃程度で加熱を受けるため凹面94-1A, 94-1B; 94-2A, 94-1Bの湾曲形状に準じて熱セットされる。そのため、シート状素材８０は、シール用金型94-1, 94-2から出てきた状態において、断面が図２７に示すように凹面94-1A, 94-1B; 94-2A, 94-1Bの湾曲形状に準じて凸形状に固定され、シール用金型94-1, 94-2の長さに応じた長さを有した空洞部80E-1, 80E-2が形成される。この空洞部80E-1, 80E-2が図１９の内袋３２の弱シール部３８における上下の隔室72, 74となる。
【００５８】
駆動部82-1, 82-2によるシート状素材８０の移動とシール用金型94-1, 94-2及び95-1, 95-2によるシール動作と薬剤の注入との連携について説明すると、シート状素材８０の移動が停止され、薬剤供給管93-1, 93-2を挟んだ状態でシール用金型94-1, 94-2が図２６（ｂ）に示すように合体され、面94-1D, 94-2Dによるサイドシール80C-1, 80C-2の形成が行われる。また、シート状素材８０は凹面94-1A, 94-1B; 94-2A, 94-1Bと注液本体90-1, 90-2の外径面との間で挟着されることから、その湾曲形状に準じた凸面形状に熱セットされる。また、シール金型94-1, 94-2から一つの薬剤封止部の長さ分下流の位置ではシール用金型95-1, 95-2は合体されクロスシール８０Ｄの形成が行われる。そして、シール用金型94-1, 94-2及び95-1, 95-2は図２０に示すように左右に別れる。このとき、クロスシール８０Ｄは、今回のシール用金型95-1, 95-2の合体により新たに画成された空洞部80E-1, 80E-2に連接された前回のシール用金型95-1, 95-2の合体により画成された空洞部80E-1, 80E-2のボトムを閉塞する。そして、連接した空洞部80E-1, 80E-2はトップ側は未だ開いており、注液ノズル92-1, 92-2の下端92-1A, 92-2Aは上端が未だ開放したままの空洞部80E-1, 80E-2を開口している（図２１）。そして、上端が未だ開放したままの空洞部80E-1, 80E-2に夫々の薬剤供給源（ポンプ等）より薬剤96-1, 96-2が注液ノズル92-1, 92-2の下端92-1A, 92-2Aから所定量注入される。そして、シール用金型94-1, 94-2及び95-1, 95-2が再び合体され、シール用金型95-1, 95-2の合体によってクロスシール８０Ｄを形成するが、このクロスシール８０Ｄは薬剤96-1, 96-２の注入が完了した、前回のシール用金型95-1, 95-2の合体により画成された空洞部80E-1, 80E-2のトップを閉塞し、ボトム、サイド及びトップの全周で封止された一つの薬剤封止部が構成され、他方、シール用金型94-1, 94-2の合体により新たなサイドシール80C-1, 80C-2が形成されるとともに、上部が開放した新たな空洞部80E-1, 80E-2が画成され、以下同様の作業の繰り返しにより各々が図１９の複室容器の内袋３２となる多数の薬剤充填部の連鎖体Ｍ（以下内袋連鎖体）が構成される。
【００５９】
内袋連鎖体Ｍは図２３にて説明のように保護膜F3が表裏面に貼着されたままであり、この状態で図５及び図６の工程を行う複室型容器製造設備まで移送される。保護膜F3により移送工程中等での内袋連鎖体Ｍの異物付着防止や無菌状態を確保することができる。そして、図５の複室容器製造工程の実施に際して内袋連鎖体Ｍにおける保護膜F3を剥離し、次いでクロスシール８０Ｄを中間にて切断することで一つの内袋３２として完全分離され、図５（ｂ）で説明のように内袋３２の挿入工程を実施することができる。
【符号の説明】
【００６０】
１０…外袋（この発明の外側容器）
12, 14…外袋を構成するフィルム片
１６…強シール部
16-1…強シール部１６の幅広部（本発明の連結部）
１８…排出口
２０…混注口
２８…弱シール部（この発明の第１の隔壁）
３２…内袋（この発明の内側容器）
34, 36…内袋を構成するフィルム片
34-1, 36-1…端縁部
３８…内袋外周の弱シール部
38-1, 38-2…弱シール部の左右両側部
38-3, 38-4…弱シール部の上下側部
４０…排出制御室
４２…強シール部（本発明の外力付与部）
４２´…端縁部の溶着部
４４…ポイントシール部（本発明の補助的外力付与部）
８０…シート状素材
８０Ａ…センターシール
80B -1, 80B-2…開口部
80C -1, 80C-2…サイドシール
８０Ｄ…クロスシール
80E-1, 80E-2…空洞部
82-1, 82-2…駆動部
86-1, 86-2…センター用シール金型
８８…カッタ
90-1, 90-2…注液本体
92-1, 92-2…注液ノズル
93-1, 93-2…薬剤注入管
94-1, 94-2…サイド用シール金型
95-1, 95-2…クロス用シール金型
【図１】
2018149312.tif 000003
【図２】
2018149312.tif 000004
【図３】
2018149312.tif 000005
【図４】
2018149312.tif 000006
【図５】
2018149312.tif 000007
【図６】
2018149312.tif 000008
【図７】
2018149312.tif 000009
【図８】
2018149312.tif 000010
【図９】
2018149312.tif 000011
【図１０】
2018149312.tif 000012
【図１１】
2018149312.tif 000013
【図１２】
2018149312.tif 000014
【図１３】
2018149312.tif 000015
【図１４】
2018149312.tif 000016
【図１５】
2018149312.tif 000017
【図１６】
2018149312.tif 000018
【図１７】
2018149312.tif 000019
【図１８】
2018149312.tif 000020
【図１９】
2018149312.tif 000021
【図２０】
2018149312.tif 000022
【図２１】
2018149312.tif 000023
【図２２】
2018149312.tif 000024
【図２３】
2018149312.tif 000025
【図２４】
2018149312.tif 000026
【図２５】
2018149312.tif 000027
【図２６】
2018149312.tif 000028
【図２７】
2018149312.tif 000029